(57)【要約】【課題】取り扱いが容易な段差用の水平位置決め具の提供。【解決手段】本体２と、この本体２に対して直角をなす方向と平行になる方向とに、回転可能に本体２に取り付けられた長尺の鉛直指示板２２とを備えている。本体２と鉛直指示板２２との連結のために連結金具２３が設けられている。この連結金具２３は互いに９０°ごとに仮固定可能に相互回転しうる一対の保持板１５を有している。この保持板１５に本体２と鉛直指示板２２とが取り付けられている。上記本体２には、その長手方向に沿って巻き尺Ｓを取り付けるための固定ねじ２０が設けられており、上記本体２及び鉛直指示板２２には、本体２の長手方向の水平度を検知するための水平器１２が取り付けられている。【選択図】図５
2011208417.tif 000002
【特許請求の範囲】
【請求項１】
本体と、
この本体に対して直角をなす方向と平行になる方向とに、回転可能に本体に取り付けられた長尺の鉛直指示部材とを備えており、
上記本体は、その長手方向に沿って示された目盛り、及び、長手方向に沿って目盛り帯を取り付けるための取り付け具、のうちの少なくとも一方が形成されている段差部用の水平位置決め具。
【請求項２】
上記鉛直指示部材が長尺板状の鉛直指示板であり、この鉛直指示板に、本体の長手方向の水平度を検知するための水平器が取り付けられている請求項１に記載の段差部用の水平位置決め具。
【請求項３】
上記鉛直指示部材が、筒状のフードと、このフード内に垂下しうるようにフード又は本体に取り付けられた下げ振りとを備えており、この下げ振りが、ひも及びこのひもに取り付けられた重錘を有している請求項１に記載の段差部用の水平位置決め具。
【請求項４】
上記フードが、入れ子式に形成された複数本の筒状体から形成されており、上記下げ振りの長さが、伸縮するフードの長さに応じて変化するように構成されている請求項３に記載の段差部用の水平位置決め具。
【請求項５】
上記本体に、その長手方向の水平度を検知するための水平器が取り付けられている請求項１から４のうちのいずれかに記載の段差部用の水平位置決め具。
【発明の詳細な説明】
【技術分野】
【０００１】
本発明は、段差部用の水平位置決め具に関する。詳細には、本発明は、上下の段差が存在する面における平面視上の位置決めを行うための水平位置決め具に関する。
【背景技術】
【０００２】
建築物の基礎工事の一部として、柱脚立設箇所と地中梁の方向との位置決めを行う工程がある。例えば、基礎施工のための坑内に捨てコンクリートを打設する際、地中梁の設置部位と柱脚立設部位との間には段差が設けられる。一般的に、地中梁が設置される面より柱脚のフーチン部が設置される面の方が低いからである。この場合、通常は地中梁の中心線の延長上に柱脚の中心位置を設定する。このような基礎工事に関しては、特開平９−７８５９５号公報に開示された方法が知られている。
【０００３】
ところが、捨てコンクリートの面上には上記段差が形成されているため、上記フーチン部の位置決めは容易ではない。従来は、建設作業員が手作業によって棒の先端に下げ振りを取り付け、この棒を地中梁の中心線に沿わせた状態で位置調整し、この下げ振りの指し位置に墨出しをすることによって位置決めがなされている。このように、手作業による準備作業が厄介である。また、下げ振りが風等によって揺れるので、制止するまで相当の時間を要することがある。しかも、段差の高さに応じて下げ振りのひもの長さを調節する必要がある。
【先行技術文献】
【特許文献】
【０００４】
【特許文献１】特開平９−７８５９５号公報
【発明の概要】
【発明が解決しようとする課題】
【０００５】
本発明は、上記課題を解決するためになされたものであり、持ち運び及び取り扱いが容易で、迅速な位置決めが可能な段差部用の水平位置決め具を提供することをその目的としている。
【課題を解決するための手段】
【０００６】
本発明に係る段差部用の水平位置決め具は、本体と、この本体に対して直角をなす方向と平行になる方向とに、回転可能に本体に取り付けられた長尺の鉛直指示部材とを備えており、上記本体には、その長手方向に沿って示された目盛り、及び、長手方向に沿って目盛り帯を取り付けるための取り付け具、のうちの少なくとも一方が形成されている。
【０００７】
かかる構成によれば、その本体を段差がある平面の上段部分に水平状態に保持し、鉛直指示部材を本体に対して直角をなす方向に向けるだけで、鉛直指示部材により、上記面の下段部分に所定の位置が指示される。次いで、指示された部位に墨出し等のマーキングを施せば、所望の位置決めがなされる。このような簡易な作業により、段差部における水平位置決めがなされる。また、本体と鉛直指示部材とが一体となっているため、携行及び取り扱いが容易となる。上記した長手方向に沿って示された目盛りには、本体に直接目盛りが形成されているもの、及び、目盛り帯が取り付けられているもの、の両方を含んでいる。
【０００８】
この水平位置決め具において、上記鉛直指示部材が長尺板状の鉛直指示板であり、この鉛直指示板に、本体の長手方向の水平度を検知するための水平器が取り付けられているのが好ましい。鉛直指示板の姿勢を鉛直にすることが容易となり、位置決め精度が向上するからである。
【０００９】
上記鉛直指示部材が、筒状のフードと、このフード内に垂下しうるようにフード又は本体に取り付けられた下げ振りとを備えていてもよい。
【００１０】
上記フードが、入れ子式に形成された複数本の筒状体から形成されており、上記下げ振りの長さが、伸縮するフードの長さに応じて変化するように構成されていてもよい。
【００１１】
上記本体に、その長手方向の水平度を検知するための水平器が取り付けられていてるのが好ましい。本体の姿勢を水平にすることが容易となり、位置決め精度が向上するからである。
【発明の効果】
【００１２】
本発明に係る水平位置決め具によれば、段差部における水平位置決め作業、携行、取り扱いが容易である。
【図面の簡単な説明】
【００１３】
【図１】図１（ａ）は、本発明に係る水平位置決め具の一実施形態を示す正面図であり、図１（ｂ）はその平面図であり、図１（ｃ）はその左側面図である。
【図２】図２（ａ）は、図１の水平位置決め具におけるフードの縮短した状態を示す縦断面図であり、図２（ｂ）は伸長した状態を示す縦断面図である。
【図３】図３（ａ）は、本発明に係る水平位置決め具の他の実施形態を示す正面図であり、図３（ｂ）はその平面図であり、図３（ｃ）はその左側面図である。
【図４】図４（ａ）は図３の水平位置決め具に含まれる連結金具を示す正面図であり、図４（ｂ）は図４（ａ）のＩＶＢ−ＩＶＢ線断面図であり、図４（ｃ）は図４（ｂ）のＩＶＣ−ＩＶＣ線断面図である。
【図５】図５（ａ）は、本発明に係る水平位置決め具のさらに他の実施形態を示す正面図であり、図５（ｂ）はその平面図であり、図５（ｃ）はその左側面図である。
【発明を実施するための形態】
【００１４】
以下、適宜図面が参照されつつ、実施形態に基づいて本発明が詳細に説明される。
【００１５】
図１に示された水平位置決め具１は、長尺の本体２と、フード３と、下げ振り４と、目盛り帯（例えば巻き尺）５とを有している。フード３は、その一端部が、本体２の一端部に回転可能に取り付けられている。下げ振り４は、ひも４ａとこのひも４ａの先端に取り付けられた重錘４ｂとから構成された、鉛直指示部材の一態様である。この下げ振り４は、フード３内を通るように、フード３内に取り付けられている。このフード３により、下げ振り４に対する風の影響が抑制される。目盛り帯５は、本体２に、その長手方向に沿って取り付けられている。
【００１６】
上記本体２は、その横断面が矩形の角筒状を呈したものである。角筒以外に、コ字状断面のチャンネル材やＬ字状断面のチャンネル材を用いてもよい。本体２の材質は、底板２ａ及び左右の両側板２ｂはアルミ合金等の軽量金属、合成樹脂等から選択される。天板２ｃはアクリル等の透明樹脂から形成されている。上記目盛り帯５は、本体２の底面に貼着されている。使用者は、透明の天板２ｃを透して目盛りを読むことができる。目盛り帯５を貼着することに代えて、本体２に直接目盛りを刻んでもよい。又は、本体２に目盛り帯（例えば巻き尺）を着脱自在に構成してもよい。この場合、例えば、本体２の一端部に、いわゆる巻き尺の端部の係止輪を係止するための係止ピンが立設される。又は、例えば図５に示すように、巻き尺Ｓの端部を押圧固定するための固定ねじ２０を備えてもよい。上記のいずれの場合にも、後述するように、目盛りの基準点は下げ振り４が垂下される点とすることができる。
【００１７】
図２に示すように、上記フード３は、外筒３ａと内筒３ｂとの二つの角筒が入れ子式に組み合わされることにより、伸縮可能に構成されている。図２は、理解を容易にするために、下げ振りに４比べてフード３が大きく描かれている。本実施形態では、内筒３ｂがヒンジ部材６を介して本体２に回転可能に取り付けられている。フード３は、本体２に対して、直角方向に延びる作用位置ＷＰと、本体２と平行に重なり合う方向に延びる収納位置ＳＰとに、回動可能である（図１）。内筒３ｂの内部には、上端近傍及び下端近傍それぞれに、上記ひも４ａを反転させるための反転棒７Ｕ、７Ｌが内側面間に架け渡されている。フード３の材質は、アルミ合金等の軽量金属、合成樹脂等から選択される。下げ振り４の揺れを監視するためには、アクリル等の透明樹脂であるのが好ましい。
【００１８】
下げ振り４は、そのひも４ａの基端部が外筒３ａの上端に取り付けられている。このひも４ａは、その取り付け部Ｍから、外筒３ａの内面に形成された溝８を通り、内筒３ｂの下端近傍に形成された貫通孔９を通って内筒３ｂの内部に入る。このひも４ａは、下部反転棒７Ｌに下から掛け回され、上方に延びて上部反転棒７Ｕに上から掛け回されて下方に延びている。かかる構成により、外筒３ａに対する重錘４ｂの先端（下端）位置は、フード３の伸縮に関わらず一定である。すなわち、フード３が縮短している状態（図２（ａ））から、外筒３ａが寸法Ａだけ下がると（図２（ｂ））、ひも４ａが同じ寸法Ａだけ重錘４ｂ側に移動し、重錘４ｂがその寸法Ａだけ下がる。重錘４ｂの先端位置は常に外筒３ａの下端よりわずか上方の位置に設定されている。
【００１９】
フード３の下端近傍の少なくとも一側壁が切除されることにより、墨出し用の開口１０が形成されている（図１）。この開口１０の上下方向の寸法は上記重錘４ｂの縦寸法とほぼ同じ、又は、それより短くしてもよい。この開口１０は、作業者が、重錘４ｂが指し示す下段捨てコンクリートＬＣ上の位置に外側から墨出しをするときに必要である。
【００２０】
下げ振り４の取り付け態様は上記のものに限定されない。例えば、ゼンマイ等による巻き取り付勢機構と、ひも４ａを任意の引き出し位置でロックするロック機構とを備えたリール（いわば小型のツールバランサ）を、フード３内又は本体２内に取り付けてもよい（図示しない）。このリールに下げ振り４のひも４ａを巻き取らせておき、使用者が、重錘４ｂを引っ張って必要長さだけひも４ａを引き出して使用することができる。
【００２１】
図１に示すように、本体２には水平器１２が取り付けられている。この水平器１２は、本体２の長手方向の水平度を検知しうるように取り付けられている。本体２が水平に保持されることにより、上段捨てコンクリートＵＣ上の基準位置から、下段捨てコンクリートＬＣ上の重錘４ｂの先端位置までの水平距離が一層正確に決定されうる。
【００２２】
水平器１２を備えた水平位置決め具は、下げ振り４と共に又はこれに代えて、レーザービーム発信器（図示せず）を有してもよい。このレーザービーム発信器は、本体２の長手方向に対して直角をなす方向にレーザービームを発信するように取り付けられる。本体２が水平に保持されることにより、上段捨てコンクリートＵＣ上の基準位置から、レーザービーム発信器が照射する下段捨てコンクリートＬＣ上の位置までの水平距離が正確に決定されうる。レーザービーム発信器のオンオフスイッチは、本体２における操作が容易な位置に取り付けられる。レーザービーム発信器が下げ振り４に代えて採用される場合、特に上記防風用のフード３は設置される必要はない。しかし、フード３を下段捨てコンクリート面ＬＣに接地させることによって本体２を水平状態に安定させるための支持用として設置してもよい。
【００２３】
図３には他の水平位置決め具１１が示されている。図３（ａ）が水平位置決め具１１の正面図、図３（ｂ）が平面図、図３（ｃ）が左側面図である。この水平位置決め具１１においては、フード１３が、連結金具１４により、本体２に対して長手方向に摺動可能に、且つ、本体２となす角度を変更しうるように回転可能に取り付けられている。このフード１３は伸縮可能にはなっていない。このフード１３に目盛りが形成されていてもよい。捨てコンクリートの段差寸法の確認等が可能になるからである。下げ振り４のひも４ａは、その上端がフード１３の上端に取り付けられている。ひも４ａの長さは、重錘４ｂの先端位置がフード１３の下端よりわずか上方の位置となるように設定されている。このフード１３の下端近傍にも、墨出し用の開口１０が形成されている。
【００２４】
本体２は、図１及び図２の水平位置決め具１におけるものと同じ形状、構造を有している。しかし、この本体２には、目盛り帯は貼着されておらず、そのフード１３側端部に、巻き尺Ｓの先端の係止輪を係止するための係止ピン２０が突設されている。
【００２５】
図４に示すように、上記連結金具１４では、一対の矩形の保持板１５ａ、１５ｂが、回転軸芯１６によって背中合わせに相互に回転可能に連結されている。図４（ａ）は連結金具１４の正面図であり、図４（ｂ）は図４（ａ）のＩＶＢ−ＩＶＢ線断面図であり、図４（ｃ）は図４（ｂ）のＩＶＣ−ＩＶＣ線断面図である。一方の保持板１５ａは本体２を固定し、他方の保持板１５ｂはフード１３を摺動可能に保持するものである。各保持板１５ａ、１５ｂの前面の対向辺それぞれに、Ｌ字状断面の固定爪１７が立設されている。本体２及びフード１３が、対応する各保持板１５ａ、１５ｂの両固定爪１７間に嵌合して固定される。フード１３用の保持板１５ｂには、その少なくとも一方の固定爪１７の内側に、フード１３を他方の固定爪１７に押圧するための、弧状に湾曲した板バネ１８が設けられている。かかる構造により、フード１３は、連結金具１４に弾力的に保持され、且つ、長手方向に摺動可能となる。本実施形態では、本体２用の保持板１５ａにも板バネ１８が設けられている。このように構成されると、使用勝手が良くなる。上記固定爪１７の高さを小さくすることにより、本体２の一側板２ｂ及びフード１３の一側板が、対応する各保持板１５ａ、１５ｂの両固定爪１７間に嵌合するように構成されていてもよい。
【００２６】
保持板１５ａ、１５ｂ同士の間には、相互の回転角度を９０°ごとに互いを仮固定するためのディテント機構１９が形成されている。具体的には、このディテント機構１９は、一方の保持板１５ａ（１５ｂ）の背面における回転軸芯１６を中心とした円周上に９０°間隔で形成された係合孔１９ａと、他方の保持板１５ｂ（１５ａ）の背面における上記円周上に形成された係合突起１９ｂとから構成されている。係合突起１９ｂは、各係合孔１９ｂに弾力的に係合しうる。上記係合孔１９ａと係合突起１９ｂとの位置は、本体２とフード１３とが、互いになす角度が９０°及び０°（１８０°）となる位置において係合するように設定されている。
【００２７】
上記本体２には、その長手方向の水平度を検知するための水平器１２が取り付けられている。フード１３の上端にも、本体２の長手方向の水平度を検知するように、水平器１２が取り付けられている。フード１３にも水平器１２が取り付けられているのは、本体２に対するフード１３の直角度を検知してこれを調整するためである。そして、このフード１３に対して、下げ振り４に代えて鉛直指示機能を発揮させるためである。すなわち、フード１３自体が鉛直指示部材となる。具体的には以下のとおりである。フード１３を本体２に直行させた状態で、上段捨てコンクリートＵＣ上に本体２を水平状態に保持する。このとき、フード１３上端の水平器１２が、水平状態であることを示していなければ、フード１３を極めてわずか、本体２に対して回転させて調整する。この調整のための回転は、通常はディテント機構の遊びの範囲内で十分まかなうことができる。そして、フード１３の下端の前端縁又は後端縁が指し示す下段捨てコンクリートＬＣ上の部位に墨出しする。かかる構成によれば、フード１３及び下げ振り４のいずれかに選択的に鉛直指示機能を発揮させることができる。もちろん、フード１３に鉛直指示機能を発揮させる場合には、下げ振り４を設けなくてもよい。
【００２８】
図５にはさらに他の水平位置決め具２１が示されている。図５（ａ）が水平位置決め具２１の正面図、図５（ｂ）が平面図、図５（ｃ）が左側面図である。この水平位置決め具２１では、鉛直指示部材として、角筒の上記フード１３（図３）に代えて長尺板状の鉛直指示板２２を備えている。連結金具２３の鉛直指示板用の保持板２４には、鉛直指示板２２の厚さに見合った寸法の固定爪が備えられる。この鉛直指示板２２の上端には、本体２の長手方向の水平度を検知するように、水平器１２が取り付けられている。本体２に対する鉛直指示板２２の直角度を検知してこれを調整するためである。この水平位置決め具２１においては、本体２に目盛り帯である巻き尺Ｓの端部を押圧固定するための固定ねじ２５が設けられている。もちろん、固定ねじ２５に代えて、目盛り帯が貼着されていてもよく、直接本体２に目盛りが形成されていてもよい。
【００２９】
下段捨てコンクリートＬＣ上への墨出しは、鉛直指示板２２の下端の前端縁２２ａ、後端縁２２ｂ等が指し示す捨て部位に対して行われる。なお、巻き尺Ｓの目盛りは、基準となる鉛直指示板２２の前端縁２２ａの位置、又は、後端縁２２ｂの位置を基準（０）とするのが便利である。上記鉛直指示板２２にも目盛り２６を形成してもよい。かかる構成の水平位置決め具２１に対しては、必要に応じて本体２に下げ振り４を取り付けてもよい。この場合、下げ振り４は、巻き取り付勢機構とロック機構とを備えたリール（いわば小型のツールバランサ）２７に収納して取り付けてもよい。
【００３０】
以上説明した水平位置決め具の使用方法について、図５の水平位置決め具２１を代表させて説明する。まず、上段捨てコンクリートＬＣ上に示された地中梁の中心線上に、施工図面に基づいて基準位置をマークする。この基準位置は、柱脚の中心位置までの距離が本体２の目盛りでカバーできる位置にする。次いで、上記地中梁の中心線に本体２を沿わせる。次いで、本体２を上記中心線に沿って移動させることにより、上記基準位置に対し、施工図面から得た基準位置から柱脚の中心位置までの距離に相当する巻き尺Ｓの目盛りを一致させる。こうすると、上記鉛直指示板２２の下端の前端縁２２ａ、又は後端縁２２ｂ等が指し示す捨て部位が柱脚の中心に相当する位置となる。この位置に墨出しをする。
【産業上の利用可能性】
【００３１】
以上説明された位置決め具によれば、段差部における水平位置決め作業、携行、取り扱いが容易である。従って、建築物の基礎工事における柱脚の位置決め等に有用である。
【符号の説明】
【００３２】
１・・・水平位置決め具
２・・・本体
３・・・フード
４・・・下げ振り
５・・・目盛り帯
６・・・ヒンジ部材
７Ｕ・・・上部反転棒
７Ｌ・・・下部反転棒
８・・・溝
９・・・貫通孔
１０・・・開口
１１・・・水平位置決め具
１２・・・水平器
１３・・・フード
１４・・・連結金具
１５・・・保持板
１６・・・回転軸芯
１７・・・固定爪
１８・・・板バネ
１９・・・ディテント機構
２０・・・係止ピン
２１・・・水平位置決め具
２２・・・鉛直指示板
２３・・・連結金具
２４・・・保持板
２５・・・固定ねじ
２６・・・目盛り
２７・・・リール
Ｓ・・・巻き尺
ＳＰ・・・収納位置
ＷＰ・・・作用位置
【図１】
2011208417.tif 000003
【図２】
2011208417.tif 000004
【図３】
2011208417.tif 000005
【図４】
2011208417.tif 000006
【図５】
2011208417.tif 000007